(57)【要約】      （修正有）【課題】簡単に、即時に使用できる消毒液携帯装置を提供する。【解決手段】消毒液携帯装置１００は、筐体部１０１、蓋部１０３、消毒液保持部１０５、及び、取付部１０７を有している。消毒液保持部１０５は、フェルトやスポンジ等、消毒液を一定期間保持する部材に、ジェル状の消毒液を含浸させたものである。使用者は、消毒液携帯装置１００を手首に取り付けた後、手指を消毒したいときに、蓋部１０３を開き、消毒液保持部１０５に、指の端部を接触させる。これにより、指の端部に、ジェル状の消毒液が塗布される。消毒液携帯装置１００を用いて、片手に消毒液を塗布するだけで、簡単に、両手を消毒できる。また、消毒液携帯装置１００を使用することによって、時、場所を選ばずに手指を簡単に消毒できる。消毒液保持部１０５は取り外しできる。【選択図】図１
0003229454.tif 000002
【実用新案登録請求の範囲】
【請求項１】
ジェル状の消毒液を含浸する消毒液保持部、
前記消毒液保持部を収納する消毒液保持空間を有する筐体部、
前記筐体部に対して開閉し、前記消毒液保持空間を密閉する蓋部、
前記筐体部を所定の位置に取り付ける取付部、
を有する消毒液携帯装置。
【請求項２】
請求項１に係る消毒液携帯装置において、
前記消毒液保持部は、
前記筐体部から取り外しできること、
を特徴とする消毒液携帯装置。
【請求項３】
請求項１、又は請求項２に係る消毒液携帯装置において、
前記筐体部は、
一端面が円環形状を有すること、
を特徴とする消毒液携帯装置。
【請求項４】
請求項１〜請求項３のいずれかに係る消毒液携帯装置において、
前記取付部は、
環状構造を形成するバンド部、
前記バンドを取り付け、かつ、前記筐体部が配置される台座部、
を有すること、
を特徴とする消毒液携帯装置。
【請求項５】
請求項４に係る消毒液携帯装置において、
前記台座部は、
外部空間と連通するバンド用開口、
前記バンド用開口と外部空間との間に形成される腕部、
を有すること、
を特徴とする消毒液携帯装置。
【考案の詳細な説明】
【技術分野】
【０００１】
本考案は、消毒液携帯装置に関し、特に、簡単に、即時に使用できるものに関する。
【背景技術】
【０００２】
従来の消毒液携帯装置について、図７に示す液体収容ケース１を用いて説明する。図７に示すように、液体収容ケース１は、ヒンジ部４を介して連結された半球形状のケース本体２と外蓋３とを有し、消毒液等の液体をパッド８に含浸したスタンプ台７をケース本体２に設け、さらにケース本体２と外蓋３との間に、パッド８を覆う仕切り板１２が設けられる。外蓋３をケース本体２に対して閉じると、液体収容ケース１は、外観が球形状となる。これにより、適宜サイズのコットンやティッシュペーパに消毒剤や化粧水等の液体を塗布して使用でき、携帯に適した液体収容ケースを提供する（以上、特許文献１参照）。
【先行技術文献】
【特許文献】
【０００３】
【特許文献１】実用新案登録第３１９８３３４号公報
【考案の概要】
【考案が解決しようとする課題】
【０００４】
前述の液体収容ケース１には、以下に示すような改善すべき点がある。図７に示すように、液体収容ケース１では、消毒液と、乾いたコットンやティッシュを同時に収容することを想定しているため、仕切り版１２が設けられている。このため、使用時において、都度、仕切り版１２を開閉しなければならず、手間と時間がかかる、という改善すべき点がある。
【０００５】
そこで、本考案は、簡単に、即時に使用できる消毒液携帯装置を提供することを目的とする。
【考案の効果】
【０００６】
本考案における課題を解決するための手段及び考案の効果を以下に示す。
【０００７】
本考案に係る消毒液携帯装置は、ジェル状の消毒液を含浸する消毒液保持部、前記消毒液保持部を収納する消毒液保持空間を有する筐体部、前記筐体部に対して開閉し、前記消毒液保持空間を密閉する蓋部、前記筐体部を所定の位置に取り付ける取付部、を有する。
【０００８】
これにより、場所、時間を選ばずに、簡単に、即時に使用し、手指を消毒できる。
【０００９】
本考案に係消毒液携帯装置では、前記取付部は、環状構造を形成するバンド部、前記バンドを取り付け、かつ、前記筐体部が配置される台座部、を有すること、を特徴とする。
【００１０】
これにより、消毒液携帯装置を簡単に携帯することができる。
【００１１】
本考案に係る消毒液携帯装置は、前記台座部は、外部空間と連通するバンド用開口、前記バンド用開口と外部空間との間に形成される腕部、を有すること、を特徴とする。
【００１２】
これにより、市販の腕時計用バンドを利用でき、使用者の好みに、容易に合わせることができる。
【図面の簡単な説明】
【００１３】
【図１】本考案に係る消毒液保持装置の一実施例である消毒液保持装置１００の蓋部１０３が開いた状態を示すである。
【図２】筐体部１０１、及び、筐体配置部１０７ａを示す図である。
【図３】消毒液保持装置１００の蓋部１０３が閉じた状態を示す図である。
【図４】本考案に係る消毒液保持装置のその他の実施例を示す図である。
【図５】本考案に係る消毒液保持装置のその他の実施例を示す図である。
【図６】本考案に係る消毒液保持装置のその他の実施例を示す図である。
【図７】従来の消毒液保持装置を示す図である。
【考案を実施するための形態】
【００１４】
以下、本考案の実施例について、図面を参照しながら詳細に説明していく。
【実施例１】
【００１５】
本考案に係る消毒液携帯装置の一実施形態である消毒液携帯装置１００について、図１〜図３を用いて説明する。
【００１６】
１．消毒液携帯装置１００の構成
図１に示すように、消毒液携帯装置１００は、筐体部１０１、蓋部１０３、消毒液保持部１０５、及び、取付部１０７を有している。図１は、筐体部１０１に対して蓋部１０３が開いた状態を示している。
【００１７】
図２に、筐体部１０１から、蓋部１０３、消毒液保持部１０５、及び、取付部１０７のバンド部１０７ｂ（後述）を取り外した状態を示す。図２に示すように、筐体部１０１は、一端が解放された中空円筒形状を有している。筐体部１０１は、消毒液保持部１０５を収容するための消毒液保持空間Ａ１０１を有している。
【００１８】
また、筐体部１０１は、ヒンジ凹部１０１ａ、係合凹部１０１ｂを有している。ヒンジ凹部１０１ａには、蓋部１０３のヒンジ部１０３ａ（後述）が配置される。係合凹部１０１ｂは、筐体部１０１の外周面に形成される。係合凹部１０１ｂは、蓋部１０３の係合凸部１０３ｂと係合し、蓋部１０３を筐体部１０１に固定する。
【００１９】
図１に示すように、蓋部１０３は、筐体部１０１の解放された一端を覆う薄い円盤形状を有している。蓋部１０３は、ヒンジ部１０３、及び、係合凸部１０３ｂを有している。蓋部１０３は、ヒンジ部１０３ａを介して、筐体部１０１と接続される。
【００２０】
図３に、筐体部１０１に対して蓋部１０３が閉じた状態を示す。図１、図３に示すように、蓋部１０３は、ヒンジ部１０３ａにより、筐体部１０１に対して、開閉する。蓋部１０３を閉じて、係合凸部１０３ｂと、筐体部１０１の係合凹部１０１ｂとを係合させることによって、蓋部１０３を筐体部１０１に固定し、消毒液保持空間Ａ１０１を、密閉空間にできる。
【００２１】
消毒液保持部１０５は、フェルトやスポンジ等、消毒液を一定期間保持する部材に、ジェル状の消毒液を含浸させたものである。ジェル状の消毒液を使用することによって、消毒液の短期間での蒸発を防止するとともに、消毒液保持部材１０５が消毒液を保持している状態での液だれを防止する。これにより、消毒液を安定して保持し、また、長期間使用できる。
【００２２】
消毒液保持部１０５は、図１、図３に示すように取り外しできる。これにより、取り外した状態で、消毒液保持部１０５に、簡単に、消毒液を補充できる。また、消毒液保持部１０５を取り外した状態で、消毒液携帯装置１００を利用できるため、筐体部１０１の消毒液保持空間Ａ１０１（図３参照）に、ハンドクリーム等を充填し、携帯できる。
【００２３】
また、消毒液保持部１０５を取り外した後に、別の液体を有する液体保持部材を筐体部１０１に収納することによって、使用場面によって、使い方を変えることができる。例えば、紙めくりが必要な場面では、液体保持部材として、水を含んだスポンジを用いるようにすればよい。
【００２４】
図１に示すように、取付部１０７は、台座部１０７ａ、及び、バンド部１０７ｂを有している。図３に示すように、台座部１０７ａは、筐体配置部１０７ａ１、及び、バンド接続部１０７ａ２を有している。台座部１０７ａは、弾性を有する材料により形成されている。これにより、台座部１０７ａが湾曲することによって、手首等、湾曲面を有する部分に、消毒液携帯装置１００を取り付けた場合でも、台座部１０７ａが湾曲面に沿うように変形するため、消毒液携帯装置１００を安定した状態で取り付けることができる。
【００２５】
筐体配置部１０７ａ１は、薄い平板形状を有している。筐体配置部１０７ａ１の上面には、筐体部１０１が固定される。
【００２６】
バンド接続部１０７ａ２は、筐体配置部１０７ａの対向して位置する両端部のそれぞれに配置される。つまり、バンド接続部１０７ａ２の間に、筐体配置部１０７ａが配置される。バンド接続部１０７ａ２は、薄い平板形状を有している。また、バンド接続部１０７ａ２は、矩形状のバンド用開口Ｈ１０７ａ２を有している。バンド接続部１０７ａ２は、筐体配置部１０７ａ１に対して、筐体部１０１が配置されてる側とは反対側に向かって開きながら傾斜するように配置されている。つまり、台座部１０７ａは、筐体部１０１が配置されている側とは反対側に凹状に形成されている。なお、筐体配置部１０７ａの両端に配置されるバンド接続部１０７ａ２のバンド用開口Ｈ１０７ａ２は、互いに対向するように位置する。
【００２７】
図１に示すように、バンド部１０７ｂは、帯状の面ファスナーにより形成されている。バンド部１０７ｂは、台座部１０７ａのバンド用開口Ｈ１０７ａ２（図３参照）に挿通され、台座部１０７ａに取り付けられる。使用者は手首、腕等に、バンド部１０７ｂを巻き付けた後、バンド部１０７ｂの両端を接合して環状構造形成し、手首、腕等に取り付ける。
【００２８】
２．消毒液携帯装置１００の使用方法
使用者は、消毒液携帯装置１００を手首に取り付けた後、手指を消毒したいときに、蓋部１０３を開き、消毒液保持部１０５に、指の端部を接触させる。これにより、指の端部に、ジェル状の消毒液が塗布される。
【００２９】
使用者は、両手を擦りわせ、指の端部に塗布されたジェル状の消毒液を、手に行き渡らせる。必要であれば、このような作業を数回繰り返す。このように、消毒液携帯装置１００を用いて、片手に消毒液を塗布するだけで、簡単に、両手を消毒できる。また、荷物の配達員等の外出移動が多い者、工場等のいわゆる現場での作業者であっても、消毒液携帯装置１００を使用することによって、時、場所を選ばずに手指を簡単に消毒できる。
【００３０】
［その他の実施形態］
（１）消毒液携帯装置１００の取り付け位置：前述の実施例１においては、消毒液携帯装置１００を手首、腕等に取り付けるとしたが、ベルトやパンツのベルトループ、カバンの持ち手等、バンド部１０７ｂを巻き付けることができる場所に取り付けるようにしてもよい。
【００３１】
（２）取付部１０７：前述の実施例１においては、取付部１０７は、台座部１０７ａ、及び、バンド部１０７ｂを有するとしたが、筐体部１０１を取り付けることができるものであれば、例示のものに限定されない。例えば、取付部として、筐体部１０１の蓋部１０３が位置する側とは反対側の面、つまり、筐体部１０１の裏面に固定された安全ピンを用いるようにしてもよい。
【００３２】
また、図４に示すように、一つの開口、例えば、円形等の所定の取付開口Ｈ２０７、を有する薄い平板状の取付部２０７を用いてもよい。この場合、取付開口Ｈ２０７にカラビナや紐状物を挿通し、カラビナや紐状物を、ベルトやベルトループ、カバンの取っ手等に、取り付ければよい。
【００３３】
（３）台座部１０７ａ：前述の実施例１においては、台座部１０７ａのバンド接続部１０７ａ２は、区形状のバンド用開口Ｈ１０７ａ２を有するとしたが、バンド部１０７ｂを挿通できるものであれば、例示のものに限定されない。例えば、図５に示す、台座部３０７ａのバンド接続部３０７ａ２のように、外部空間と連通するＬ字状のバンド用開口Ｈ３０７ａ２を有するようにしてもよい。バンド用開口Ｈ３０７ａ２を形成することによって台座部３０７ａ２には、バンド用開口Ｈ３０７ａ２と外部空間との間に腕部３０７ａ２１を形成できる。腕部３０７ａ２には、既存の腕時計用バンドに挿入できるため、使用者の好みによって、市販の腕時計用バンドを使用できるため、使用者の好みに合わせることができる。
【００３４】
また、前述の実施例１においては、台座部１０７ａのバンド接続部１０７ａ２は、筐体配置部１０７ａ１に対して斜め下に向かって開くように配置されるとしたが、筐体配置部１０７ａ１と面一に配置するようにしてもよい。
【００３５】
（４）蓋部１０３：前述の実施例１においては、蓋部１０３は、ヒンジ部１０３ａを介して、筐体部１０１に接続されるとしたが、蓋部１０３を筐体部１０１に対して開閉できる構造であれば、例示のものに限定されない。例えば、ヒンジ部１０３ａに代えて、もう一つの係合凸部１０３ｂを形成するようにしてもよい。この場合、筐体部１０１においても、ヒンジ凹部１０１ａの位置に、係合凹部１０１ｂを形成すればよい。また、ヒンジ部１０３ａ等、筐体部１０１と蓋部１０３とを接続する構造を配置しない場合、筐体部１０１から蓋部１０３を取り外した際に、両者が分離し、蓋部１０３を紛失することを防止するために、例えば、両者を接続する紐状物によって、両者を接続するようにしてもよい。
【００３６】
（５）バンド部１０７ｂ：前述の実施例１においては、バンド部１０７ｂは、面ファスナーにより形成されるとしたが、例示のものに限定されない。例えば、一端に、一般的な腕時計用の美錠、つく棒を配置し、他の一端に、一般的な腕時計用の子穴が配置された長尺物を用いるようにしてもよい。この場合、一般的な腕時計と同様、美錠、つく棒と、子穴とを係合することによって、バンドの環状構造を形成する。弾力性を有する長尺物をバンド用開口Ｈ１０７ｂに挿通し、端部を結合し、固定された環状構造を形成するようにしてもよい。
【００３７】
（５）筐体部１０１：前述の実施例１においては、筐体部１０１は、一端面が完全に開放された中空円筒形状としたが、消毒液保持部１０５を消毒液保持空間Ａ１０１ａに確実に保持できるように、図６に示すように、筐体部４０１に、円環形状を有する端面Ｐ４０１を配置するようにしてもよい。これにより、消毒液保持空間Ａ１０１ａに対して小さい消毒液保持部であっても、また、形状を維持しにくい部材、例えばコットン、で形成される消毒液保持部あっても、消毒液保持空間Ａ１０１ａに配置することができる。なお、端面Ｐ４０１は、取り外しできるようにしてもよい。これにより、消毒液保持部１０５を、容易に交換できる。
【符号の説明】
【００３８】
１００      消毒液携帯装置
１０１      筐体部
１０１ａ      ヒンジ凹部
１０１ｂ      係合凹部
Ａ１０１      消毒液保持空間
１０３      蓋部
１０３ａ      ヒンジ部
１０３ｂ      係合凸部
１０５      消毒液保持部
１０７      取付部
１０７ａ      台座部
１０７ａ１      筐体配置部
１０７ａ２      バンド接続部
Ｈ１０７ａ２      バンド用開口
１０７ｂ      バンド部
２０７      取付部
Ｈ２０７      取付開口
３０７      取付部
３０７ａ      台座部
３０７ａ２      バンド接続部
Ｈ３０７ａ２      バンド用開口
４０１      筐体部
【図１】
0003229454.tif 000003
【図２】
0003229454.tif 000004
【図３】
0003229454.tif 000005
【図４】
0003229454.tif 000006
【図５】
0003229454.tif 000007
【図６】
0003229454.tif 000008
【図７】
0003229454.tif 000009